(57)【要約】【課題】屋根裏断熱材を組み込んだ家屋でありながら、その屋根裏断熱材を簡易に組み込むことができる屋根裏断熱材の組込み構造を提供する。【解決手段】中央部が上に凸の湾曲形状をしており、両端部が左右の軒側に止め付けられた天井材５を備え、屋根裏断熱材４が、該天井材５に下から受け支えられて設置されている。天井材５は、弾性的に撓ませられ、両端部が左右の軒側に止め付けられることにより、真っ直ぐに戻ろうとする弾性復元力に抗して、中央部が上に凸の湾曲形状を保持しているのもよい。【選択図】      図１
2005009259.tif 000002
【特許請求の範囲】
【請求項１】
中央部が上に凸の湾曲形状をしており、両端部が左右の軒側に止め付けられた天井材を備え、
屋根裏断熱材が、該天井材に下から受け支えられて設置されていることを特徴とする屋根裏断熱材の組込み構造。
【請求項２】
前記天井材は、弾性的に撓ませられ、両端部が左右の軒側に止め付けられことにより、真っ直ぐに戻ろうとする弾性復元力に抗して、中央部が上に凸の湾曲形状を保持している請求項１に記載の屋根裏断熱材の組込み構造。
【発明の詳細な説明】
【０００１】
【発明の属する技術分野】
本発明は、簡易組立式家屋等に用いられる屋根裏断熱材の組込み構造に関する。
【０００２】
【従来の技術及び課題】
例えば、一般ユーザーであっても組み立てることができるような簡易組立式の家屋においても、屋根裏に断熱材を設置し、屋内と屋外との間での屋根を通じた熱の行き来が遮断されるようにすることを求められることがあるが、屋根裏断熱材を備えさせることが、家屋を簡易に組み立てる上での障害となってしまうことは許されない。
【０００３】
本発明は、上記のような問題点に鑑み、屋根裏断熱材を組み込んだ家屋でありながら、その屋根裏断熱材を簡易に組み込むことができる屋根裏断熱材の組込み構造を提供することを課題とする。
【０００４】
【課題を解決するための手段】
上記の課題は、中央部が上に凸の湾曲形状をしており、両端部が左右の軒側に止め付けられた天井材を備え、
屋根裏断熱材が、該天井材に下から受け支えられて設置されていることを特徴とする屋根裏断熱材の組込み構造によって解決される。
【０００５】
この構造では、屋根裏断熱材を、中央部が上に凸の湾曲形状をした天井材で下から受け支える構造としているので、天井材は、その両端部を左右の軒側に止め付けるだけで屋根裏断熱材をしっかりと下から受け支えることができ、このような上に凸の天井材を採用することによって、屋根裏断熱材を簡易に組み込むことができる。
【０００６】
上記の組込み構造において、天井材は、弾性的に撓ませられ、両端部が左右の軒側に止め付けられことにより、真っ直ぐに戻ろうとする弾性復元力に抗して、中央部が上に凸の湾曲形状を保持しているものであるのもよい。この場合は、組込み前のフリーな状態の天井材は、湾曲することなく真っ直ぐであるので、その運搬や保管、取扱いを容易に行うことができ、しかも、天井材は、上に凸の撓ませた状態で元に真っ直ぐに戻ろうとする弾性復元力が働くので、その弾性復元力を利用して簡素な構造で左右の軒側に止め付けることができ、天井材の組込みも簡易に行うことができる。
【０００７】
【発明の実施の形態】
次に、本発明の実施形態を図面に基づいて説明する。
【０００８】
図１に示す実施形態の簡易組立式家屋において、１は基礎部、２は外壁部、３は屋根部であり、屋根部３において、屋根裏には、繊維系断熱材などからなるマット状などをした屋根裏断熱材４が組み込まれている。
【０００９】
この屋根裏断熱材４の組込みに用いられているのが天井材５であり、本実施形態の天井材５は、図２（イ）（ロ）に示すように、天井骨材５ａ，５ａと面状材５ｂとで構成され、天井骨材５ａは、鉄筋材などの弾性撓み変形可能な棒材をはしご状の形態に組んで一体化した真っ直ぐなものからなっており、これが二つ、間隔をおいて並列状態に配列され、両天井骨材５ａ，５ａに上面側から面状材５ｂがわたされ、三者が結束一体化されて、面状構造の天井材５に形成されている。面状材５ｂには、撓み性を備えたプラスチック製の格子状網状材が用いられている。
【００１０】
屋根裏断熱材４の組込みは、次のようにして行うことができる。即ち、図３（イ）に示すように、左右の軒桁６，６に受け金具８，８を取り付け、図３（ロ）に示すように、真っ直ぐな天井材５の一端部を一方の金具８に止め付け、図３（ハ）に示すように、天井材５を中央部が上に凸の湾曲形状となるように弾性的に撓ませ、図３（ニ）に示すように、天井材５の他端部をもう一方の金具８に止め付ける。こうすることで天井材５が組み込まれ、次いで、図４（ホ）に示すように、天井材５の上面側に屋根裏断熱材４を設置し、天井材５に屋根裏断熱材４を受け支えさせる。最後に、図４（ヘ）に示すように、屋根材７を設置する。なお、屋根材７の組込みを天井材５や屋根裏断熱材４の組込みに先行させ、天井材５や屋根裏断熱材４の組込みを屋内側から行うようにしてもよい。こうして屋根裏断熱材４の組み込まれた家屋が組み立てられる。
【００１１】
このように、上記の組込み構造によれば、屋根裏断熱材４を、中央部が上に凸の湾曲形状をした天井材５で下から受け支える構造としているので、天井材５は、その両端部を左右の軒桁６，６付近に金具８，８で止め付けるだけで、屋根裏断熱材４をしっかりと下から受け支えることができ、このような、中央部が上に凸の天井材５を採用することによって、屋根裏断熱材４を簡易に組み込むことができる。
【００１２】
しかも、組込み前のフリーな状態の天井材５は、湾曲せずに真っ直ぐであるので、その運搬や保管、取扱いを容易に行うことができ、しかも、天井材５は、上に凸の撓ませた状態で真っ直ぐに戻ろうとする弾性復元力が働くので、その弾性復元力を利用して簡素な構造で左右の軒桁６，６付近に金具８，８で止め付けることができ、天井材５の組込みも簡易に行うことができる。
【００１３】
以上に、本発明の実施形態を示したが、本発明はこれに限られるものではなく、発明思想を逸脱しない範囲で各種の変更が可能である。例えば、上記の実施形態では、天井材５として、特定構造の天井骨材５ａ，５ａと特定構造の面状材５ｂを組み合わせて構成されたものを用いている場合を示しているが、天井骨材５ａも面状材も各種形態をしていてよいし、また、天井材は、天井骨材のみで構成されているものであってもよい。また、上記の実施形態では、天井材５が、弾性的に撓ませられ、両端部が左右の軒側に受け支えられることにより、真っ直ぐに戻ろうとする弾性復元力に抗して、中央部が上に凸の湾曲形状を保持するように組み込まれている場合を示しているが、天井材として、フリーな状態で上に凸の湾曲形状をしているものが用いられてもよい。
【００１４】
【発明の効果】
本発明は、以上のとおりのものであるから、屋根裏断熱材を組み込んだ家屋でありながら、その屋根裏断熱材を簡易に組み込むことができる。
【図面の簡単な説明】
【図１】実施形態を示すもので、簡易組立式家屋の正面図である。
【図２】天井材を示すもので、図（イ）は天井骨材と面状材とを分離状態にして示す斜視図、図（ロ）は天井骨材と面状材とを一体化した天井材の斜視図である。
【図３】図（イ）乃至図（ニ）は、図４（ホ）（ヘ）とともに屋根裏断熱材の組込み方法を順次に示す正面図である。
【図４】図（ホ）及び図（ヘ）は、図３（イ）乃至（ニ）とともに屋根裏断熱材の組込み方法を順次に示す正面図である。
【符号の説明】
４…屋根裏断熱材
５…天井材
７…屋根材
【図１】
2005009259.tif 000003
【図２】
2005009259.tif 000004
【図３】
2005009259.tif 000005
【図４】
2005009259.tif 000006